(57)【要約】【課題】光源部の設置場所の自由度を向上させつつ、透光パネルの取り付け性やメンテナンス性を向上させ、透光パネルが本体から離れていても映写可能な新たな空気調和機を提供する。【解決手段】空気調和機１は、光を透過させる透光パネル２０と、透光パネル２０の後面側に配置され、透光パネル２０の後面２０ｃに対して光を照射可能に構成されている光源部７１と、光源部７１から照射された光による像を透光パネル２０の後面２０ｃに形成する映写部７２とを有している。【選択図】図４
2010139188.tif 000002
【特許請求の範囲】
【請求項１】
光を透過させる透光パネルと、
前記透光パネルの後面側に配置され、前記後面に対して光を照射可能に構成されている光源部と、
前記光源部から照射された光による像を前記後面に形成する映写部とを備えることを特徴とする空気調和機。
【請求項２】
前記光源部および前記映写部は、前記透光パネルの後面から離間されて設けられている請求項１に記載の空気調和機。
【請求項３】
前記透光パネルの後面側に配置された熱交換器を備え、
前記光源部および前記映写部は、前記透光パネルと前記熱交換器との間に配置されている請求項１又は２に記載の空気調和機。
【請求項４】
前記熱交換器は、前記透光パネルの後面に対向する部分を有し、その部分の上部は上方後方に向かって傾斜して形成されており、
前記光源部および前記映写部は、前記透光パネルと前記熱交換器の上部との間の空間に配置されている請求項３に記載の空気調和機。
【請求項５】
熱交換器の下方に配置されたドレンパンを更に備え、
前記光源部および前記映写部は、前記ドレンパンの下方に配置されている請求項１〜３のいずれかに記載の空気調和機。
【請求項６】
前記光源部から照射され前記映写部を通過した光を前記透光パネルの後面へ向けて反射する反射部を備える請求項１〜５のいずれかに記載の空気調和機。
【請求項７】
前記映写部は、前記光源部から照射された光の一部を遮光する遮光部である請求項１〜６のいずれかに記載の空気調和機。
【請求項８】
前記映写部は、前記光源部からの照射光の照射角度を変更する光軸変更部である請求項１〜６のいずれかに記載の空気調和機。
【発明の詳細な説明】
【技術分野】
【０００１】
この発明は、光源部で発光された光により種々の運転状態を表示する空気調和機であり、特に透光パネルを透過させた光を視認させる空気調和機に関する。
【背景技術】
【０００２】
従来の空気調和機には、光源部であるＬＥＤ等の発光素子を発光させて種々の運転状態を表示するものがある。この一例として、特許文献１及び特許文献２には、発光素子を覆う透光パネルの前方から光を視認できるように、透光パネルの後面から前面へ光を透過させるものが開示されている。
【０００３】
また別の例として、特許文献３及び特許文献４には、透光パネルの前面に文字等の図柄を認識できるように、図柄の部分とそれ以外の部分との透光率が異なる材料を用いて作製された透光パネルを有するものが開示されている。
【０００４】
【特許文献１】特開２００４−８５０２２号公報
【特許文献２】特開２００６−１９４５６３号公報
【特許文献３】特開２００２−２２８１８３号公報
【特許文献４】特開２００２−３１０４９１号公報
【発明の開示】
【発明が解決しようとする課題】
【０００５】
上記のような従来の空気調和機は、透光パネルの後面近傍に光源部を含む電装部品を取り付ける必要があることから、光源部の設置場所に一定の制約が生じるものである。
【０００６】
また、空気調和機には、透光パネルが取り外し自在で水で洗浄可能であるものや、空気調和機の駆動中に透光パネルが移動して本体から離れるものがあるが、これらの空気調和機に透光パネルを透過させた光を視認させることを適用することは、透光パネルの取り外し性が低下する点や、透光パネルを水で洗浄できなくなる等のメンテナンス性が低下する点や、透光パネルが本体から離れている場合に光を透過させることができなくなる点などの理由から難しいものである。
【０００７】
また、空気調和機の熱交換器では空気中の水分が結露するため、この結露水から光源部等の電装品を保護する必要があるものである。
【０００８】
本発明の目的は、このような課題に基づいて、光源部の設置場所の自由度を向上させつつ、透光パネルの取り付け性やメンテナンス性を向上させ、透光パネルが本体から離れていても映写可能な新たな空気調和機を提供することである。
【課題を解決するための手段】
【０００９】
本発明は、かかる目的を達成するために、次のような手段を講じたものである。
すなわち、第１の発明に係る空気調和機は、光を透過させる透光パネルと、前記透光パネルの後面側に配置され、前記後面に対して光を照射可能に構成されている光源部と、前記光源部から照射された光による像を前記後面に形成する映写部とを備えることを特徴とする。
【００１０】
この構成によると、光源部から照射された光による像が透光パネルの後面に映写される。映写された光の像が透光パネルの後面から前面に透過して、透光パネルの前面に表示される。このように、光源部から照射された光による像を映写する、いわゆるプロジェクタを採用しているから、透光パネルと光源部とを密着させる必要がなく、光源部の設置場所の自由度を向上させることができる。
特に透光パネルが本体に取り付け自在に設けられ、または、透光パネルが本体と相対的に接離自在に設けられている空気調和機に適用すると、透光パネルの取り付け性が向上し、透光パネルが本体から離れていても映写可能であるため、このような空気調和機への適用も望ましい。
【００１１】
ここで「像」とは、文字、図形、記号若しくはこれらの結合又はこれらと色彩との結合を少なくとも含むものである。
【００１２】
第２の発明に係る空気調和機では、透光パネルの取り付け性やメンテナンス性を向上させ、透光パネルが本体から離れていても映写可能な新たな空気調和機を提供するために、前記光源部および前記映写部は、前記透光パネルの後面から離間されて設けられている。
【００１３】
第３の発明に係る空気調和機では、光源部および映写部を設ける設置場所に、透光パネルと熱交換器との間の空間を有効に利用するために、前記透光パネルの後面側に配置された熱交換器を備え、前記光源部および前記映写部は、前記透光パネルと前記熱交換器との間に配置されている。
【００１４】
第４の発明に係る空気調和機では、光源部および映写部の設置場所を適切に確保しつつ、熱交換器で結露した水が光源部および映写部へ飛散することを抑制するために、前記熱交換器は、前記透光パネルの後面に対向する部分を有し、その部分の上部は上方後方に向かって傾斜して形成されており、前記光源部および前記映写部は、前記透光パネルと前記熱交換器の上部との間の空間に配置されている。
【００１５】
第５の発明に係る空気調和機では、熱交換器で結露した水が光源部および映写部へ飛散することを確実に防止するために、前記熱交換器の下方に配置されたドレンパンを更に備え、前記光源部および前記映写部は、前記ドレンパンの下方に配置されている。
【００１６】
第６の発明に係る空気調和機では、光源部および映写部の設置場所の自由度を遙かに向上させるために、前記光源部から照射され前記映写部を通過した光を前記透光パネルの後面へ向けて反射する反射部を備えている。
【００１７】
第７の発明に係る空気調和機では、具体的な実施の態様として、前記映写部は、前記光源部から照射された光の一部を遮光する遮光部である。
【００１８】
第８の発明に係る空気調和機では、別の具体的な実施の態様として、前記映写部は、前記光源部からの照射光の照射角度を変更する光軸変更部である。
【発明の効果】
【００１９】
本発明は、以上説明した構成であるから、以下の効果が得られる。
【００２０】
第１の発明によれば、光源部の設置場所の自由度を向上させることができる。
【００２１】
第２の発明によれば、従来の空気調和機に比べて、透光パネルの取り付け性やメンテナンス性を向上させた空気調和機や、透光パネルが本体から離れていても映写可能な新たな空気調和機を提供することができる。
【００２２】
第３の発明によれば、光源部および映写部を設ける設置場所に、透光パネルと熱交換器との間の空間を有効に利用することができる。
【００２３】
第４の発明によれば、光源部および映写部の設置場所を適切に確保しつつ、熱交換器で結露した水が光源部および映写部へ飛散することを抑制することができる。
【００２４】
第５の発明によれば、熱交換器で結露した水が光源部および映写部へ飛散することを確実に防止することができる。
【００２５】
第６の発明によれば、光源部および映写部の設置場所の自由度を遙かに向上させることができる。
【００２６】
第７〜８の発明によれば、光源部および映写部に既存の映写方式を採用することができる。
【発明を実施するための最良の形態】
【００２７】
以下、図面に基づいて、本発明に係る空気調和機の室内機について説明する。
【００２８】
〔基本構成〕
図１は、本発明の実施形態に係る室内機１を前方斜め上から見た模式的斜視図である。
図２は、図１に示す室内機１を前方から見た模式図である。
図３は、図２に示す室内機１のＡ−Ａ断面模式図である。
図４は、図３に示す室内機１を前方斜め上から見た断面斜視模式図である。
図５は、プロジェクタの光源部および映写部に関する模式説明図である。
図６は、透光パネルの前面に光による像が表示されている様子を示す斜視図
図７は、別の実施形態に係る室内機の前方斜め上から見た断面斜視模式図である。
図８は、図７に示す実施形態において、透光パネルの前面に光による像が表示されている様子を示す斜視図である。
図９は、さらに別の実施形態に係る室内機の前方斜め上から見た断面斜視模式図である。
【００２９】
図１に示すように、本実施形態の室内機１は、全体として一方向に細長い形状を有しており、その長手方向が水平となるように室内の壁面に取り付けられるものである。尚、以下の説明において、室内機１の長手方向を単に「長手方向」と称する。また、室内機１が取り付けられる壁から突出する方向を「前方」と称し、その反対の方向を「後方」と称する。
【００３０】
この室内機１は、本体ユニット１０（本体）と、本体ユニット１０の前面に取り付けられ、白濁色（半透明）で光を透過させる透光パネル２０とを有して構成される。透光パネル２０は、図示しない取付部を介して、本体ユニット１０の前面に開閉可能に取り付けられており、室内機１の運転状態に応じて開閉されるものであり、さらにメンテナンス時の水洗い等のために取り外し可能に構成されているものである。
【００３１】
〔本体ユニット〕
図３に示すように、本体ユニット１０は、本体ケーシング１１と、室内熱交換器１２と、クロスフローファン１３と、電装品ユニット１４と、前面グリル１７とを有して構成される。
【００３２】
室内熱交換器１２、クロスフローファン１３及び電装品ユニット１４は、本体ケーシング１１に取り付けられている。
【００３３】
前面グリル１７は、室内熱交換器１２、クロスフローファン１３及び電装品ユニット１４等の構成部材を覆うように本体ケーシング１１の前面に取り付けられている。
【００３４】
室内熱交換器１２は、本体ケーシング１１に対して、前側熱交換器１２ａと後側熱交換器１２ｂとを逆Ｖ字状に配置して構成されたプレートフィン形の熱交換器である。
【００３５】
図１に示すように、前面グリル１７には、天井部分に天面吸込口１７ａが形成されている。当該天面吸込口１７ａは、前面グリル１７の天井部分を格子状にして形成されている。
【００３６】
図１及び図３に示すように、透光パネル２０が開いた状態で、前面グリル１７の天面吸込口１７ａ、及び、透光パネル２０の上部に位置する前側吸込口２０ａから、外部の空気が当該前面グリル１７の内部へ吸い込まれる。なお、図１は透光パネル２０が閉じた状態を表しているが、室内機１の運転中は透光パネル２０が本体ユニット１０から離れて開いた状態となる。
【００３７】
図３に示すように、室内熱交換器１２の逆Ｖ字状の内側には、クロスフローファン１３が設けられている。このクロスフローファン１３は軸流ファンと呼ばれているもので、その軸方向が室内機１の長手方向に沿うように配置されている。
【００３８】
本体ケーシング１１は、吹出口１７ｆの上側に位置するように上側壁面１１ｂを有する。当該上側壁面１１ｂは、前側熱交換器１２ａの下方に位置し、前側熱交換器１２ａで結露した結露水を受け止めて外部へ排出するドレンパン１１ｃと一体に成形されている。
【００３９】
ドレンパン１１ｃと透光パネル２０との間の位置には、電装品ユニット１４が配置されている。また、後側熱交換器１２ｂの下方には、後側熱交換器１２ｂで結露した結露水を受け止めて外部へ排出する後側ドレンパン１１ｄが配置されている。
【００４０】
本体ケーシング１１、前面グリル１７、及び透光パネル２０は、横長のものである。また、吹出口１７ｆは、前面グリル１７の長手方向に沿って延びるように形成されている。
【００４１】
室内機１においては、上面の天面吸込口１７ａ及び前面吸込口２０ａからクロスフローファン１３によって吸い込まれた室内空気を室内熱交換器１２に通過させ冷媒との間で熱交換させ下面の吹出口１７ｆから室内へと吹出される。
【００４２】
一対のエアフィルタ（図示せず）が長手方向に並んで設けられ、当該一対のエアフィルタは、天面吸込口１７ａに対向する位置に配置されており、天面吸込口１７ａを通過する空気に混在する塵埃等を取り除くことができる。
【００４３】
電装品ユニット１４は、商用電源（交流１００Ｖ又は交流２００Ｖ）に接続される電源入力部としての端子盤、交流回路部、直流高圧回路部、直流低圧回路部、ＣＰＵ制御部等の電装品と、当該電装品を内部に収容する電装品箱４１とを有して構成される。
【００４４】
電装品箱４１は、本体ユニット１０の長手方向に細長く延びる略直方体状の外形を有しており、内部に収容された電装品の周囲を覆うケースである。
【００４５】
〔プロジェクタ７０〕
上記の構成において、本実施形態では更に透光パネル２０と室内熱交換器１２との間に、光による像（文字、図形、記号等を表すもの）を透光パネル２０の後面２０ｃに形成するプロジェクタ７０を備えている。
【００４６】
プロジェクタ７０は、図５の（ａ）に示すように、光を照射（発光）する光源部７１と、光源部７１から照射された光による像ＺＯを透光パネル２０の後面２０ｃに形成する映写部７２とを主体として構成され、これらを収容するケーシングが付帯している。具体的には、光源部７１には光を発光するＬＥＤを用いており、映写部７２にはＬＥＤから照射された光の一部を遮光する遮光部７３（液晶パネル）を用いている。遮光部７３は、ＣＰＵ制御部等の電装品からの指令信号に基づいて、遮蔽する部位を自在に変更することにより任意の形状の光による像ＺＯを後面２０ｃに形成するものである。すなわち、本実施形態において、プロジェクタ７０には、液晶プロジェクタ方式を採用している。
【００４７】
なお、本実施形態では、プロジェクタ７０に液晶プロジェクタ方式を採用しているが、これに限定されるものではない。他の実施形態としては、図５の（ｂ）に示すように、レーザ光を発光するレーザ光源部７４と、レーザ光源部７４から照射されたレーザ光の光軸（光の進行方向または照射角度ともいう）を変更する光軸変更部７５（回転軸が互いにねじれの位置関係にある一対の回転ミラーを有するＸ−Ｙスキャナ）とを主体として構成され、レーザ光源部７４からの照射光の光軸を光軸変更部７５で高速で変更し、透光パネル２０の後面２０ｃにレーザ光を走査させて、光による像ＺＯを写像するレーザプロジェクタ方式を採用したレーザプロジェクタ７６であってもよい。またその他の映写方式を採用してもよい。
【００４８】
図３及び図４に示すように、透光パネル２０の後面側に室内熱交換器１２が配置されている。室内熱交換器１２は、逆Ｖ字状の室内熱交換器１２の前側部分である前側熱交換器１２ａと、逆Ｖ字状の室内熱交換器１２の後側部分である後側熱交換器１２ｂとを含んでいる。前側熱交換器１２ａは、室内熱交換器１２における透光パネル２０に対向して配置された部分であり、前側熱交換器１２ａの上部は上方後方に向かって傾斜して形成されている。すなわち、逆Ｖ字状の室内熱交換器１２の前側部分の上部が上方後方に向かって傾斜して形成されており、前側熱交換器１２ａの上部である傾斜部分と透光パネル２０との間の空間が広げられている。そして、プロジェクタ７０は、前側熱交換器１２ａの上部である傾斜部分と透光パネル２０との間の広げられた空間（隙間）において、透光パネル２０の後面２０ｃと離間した位置に配置され、透光パネル２０の後面２０ｃに向かって直接光を照射する向きで配置されている。
【００４９】
プロジェクタ７０は、図４及び図６に示すように、ＣＰＵ制御部等の電装品からの制御信号に基づいて、透光パネル２０の後面２０ｃの中央部（以後、映写対象面ともいう）の上方後方から映写対象面に向かって光を照射し、映写対象面に光の像を形成する。映写対象面に形成された光の像は、透光パネル２０を後面２０ｃから前面２０ｂに透過して、透光パネル２０の前面２０ｂに光の像を表示する。図４及び図６では、透光パネル２０の前面２０ｂに「ＣＯＯＬ２８℃」という文字ＭＯ１が表示されているが、そのためにプロジェクタ７０は、映写対象面に左右を反転させた文字を映写している。さらにプロジェクタ７０は映写対象面の上方後方から映写しているため、光の像が歪んでしまうが、予め逆補正した像を映写するように遮光部７３（映写部７２）での遮光部分を補正し、これを防止している。
【００５０】
以上のように、本実施形態に係る空気調和機は、光を透過させる透光パネル２０と、透光パネル２０の後面側に配置され、後面２０ｃに対して光を照射可能に構成されている光源部７１と、光源部７１から照射された光による像を後面２０ｃに形成する映写部７２とを備えている。
【００５１】
このように、光源部７１から照射された光による像が透光パネル２０の後面２０ｃに映写される。映写された光の像が透光パネル２０の後面２０ｃから前面２０ｂに透過して、透光パネル２０の前面２０ｂに表示される。このように、光源部７１から照射された光による像を映写する、いわゆるプロジェクタ７０を採用しているから、透光パネル２０と光源部７１とを密着させる必要がなく、光源部７１の設置場所の自由度を向上させることができる。
特に透光パネル２０が本体に取り付け自在に設けられ、または、透光パネル２０が本体と相対的に接離自在に設けられている空気調和機に適用すると、透光パネル２０の取り付け性が向上し、透光パネル２０が本体から離れていても映写可能であるため、このような空気調和機への適用も望ましい。
【００５２】
また、光源部７１および映写部７２は、透光パネル２０の後面２０ｃから離間されて設けられているので、光源部７１と透光パネル２０が近接している必要があった従来の空気調和機に比べて、透光パネル２０の取り付け性やメンテナンス性を向上させた空気調和機や、透光パネル２０が本体から離れていても映写可能な新たな空気調和機を提供することができる。
【００５３】
特に、透光パネル２０の後面側に配置された熱交換器（１２）を備え、光源部７１および映写部７２は、透光パネル２０と熱交換器（１２）との間に配置されているので、光源部７１および映写部７２を設ける設置場所に、透光パネル２０と熱交換器（１２）との間の空間を有効に利用することができる。
【００５４】
さらに、熱交換器（１２）は、透光パネル２０の後面２０ｃに対向する部分（前側熱交換器１２ａ）を有し、その部分の上部は上方後方に向かって傾斜して形成されており、光源部７１および映写部７２は、透光パネル２０と熱交換器（１２）の上部との間の空間に配置されているので、光源部７１および映写部７２の設置場所を適切に確保できるとともに、熱交換器（１２）の上方に光源部７１及び映写部７２が位置することになるから、熱交換器（１２）で結露した水が光源部７１および映写部７２へ飛散することを抑制することができる。
【００５５】
具体的な構成として、映写部７２は、光源部７１から照射された光の一部を遮光する遮光部７３であるものが挙げられる。また、映写部７２は、光源部７１からの照射光の照射角度を変更する光軸変更部７５であるものが挙げられる。また、光源部７１及び映写部７２は、その他の映写方式であってもよい。
【００５６】
以上、本発明の一実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５７】
例えば、別の実施形態としては、図７に示すように、プロジェクタ７０と同一構成であるプロジェクタ１７０が、熱交換器（１２）の下方に配置されたドレンパン１１ｃの下方に配置されていてもよい。この場合は、熱交換器（１２）で結露した水がプロジェクタ７０に到達するまでに、この結露水をドレンパン１１ｃが受け止めて外部へ排水するから、熱交換器（１２）で結露した水が光源部７１および映写部７２へ飛散することを確実に防止することができる。
【００５８】
また、図８は、この別の実施形態の場合において、透光パネル２０の前面２０ｂに光による像である文字ＭＯ２が表示されていることを示す図である。この別の実施形態の場合は、上記の一実施形態に比べて透光パネル２０の後面２０ｃとプロジェクタ７０との距離が短くなり、その結果、透光パネル２０の前面２０ｂに表示される文字ＭＯ２が文字ＭＯ１よりも小さくなる。このように、透光パネル２０の後面２０ｃとプロジェクタ７０との離間距離に応じて、透光パネル２０に表示される光による像の大きさを変化させることができる。また、プロジェクタ７０から照射される光の像を拡大する拡大レンズなどの拡大縮小部を備えていると、透光パネル２０に表示される光による像の大きさを変化させることができるという従来にない新たな空気調和機を提供することもできる。
【００５９】
また、さらに別の実施形態としては、プロジェクタ７０と同一構成であるプロジェクタ２７０を、透光パネル２０の後面２０ｃにおける映写対象面に直接光を照射しない向き（例えば上方）に向けて、電装品箱４１の内部ないしその近傍に配置し、そのプロジェクタ２７０の上方に、プロジェクタ２７０から照射された光（光源部７１から照射され映写部７２を通過した光）を透光パネル２０の後面２０ｃへ向けて反射する反射部２７１を配置してもよい。このように構成すると、光源部７１および映写部７２と透光パネル２０との間に光の進行を妨げる障害物があったとしても、反射部２７１により障害物を回避して光を透光パネル２０へ到達させるから、光源部７１および映写部７２の設置場所の自由度を遙かに向上させることができる。
【産業上の利用可能性】
【００６０】
本発明を利用すれば、光源部の設置場所の自由度を向上させつつ、透光パネルの取り付け性やメンテナンス性を向上させ、透光パネルが本体から離れていても映写可能な新たな空気調和機を得ることができる。
【図面の簡単な説明】
【００６１】
【図１】本発明の実施形態に係る室内機を示す模式的斜視図。
【図２】図１に示す室内機の正面図。
【図３】図２に示す室内機のＡ−Ａ断面図。
【図４】図２に示す室内機の断面斜視模式図。
【図５】プロジェクタの光源部および映写部を示す模式説明図。
【図６】透光パネルの前面に光による像が表示されている様子を示す斜視図。
【図７】別の実施形態に係る室内機の断面斜視模式図。
【図８】図７の実施形態おいて透光パネルの前面に光による像が表示されている様子を示す斜視図。
【図９】さらに別の実施形態に係る室内機の断面斜視模式図。
【符号の説明】
【００６２】
１    室内機（空気調和機）
１１ｃ  ドレンパン
１２    室内熱交換器
１２ａ  前側熱交換器
２０    透光パネル
２０ｂ  透光パネルの前面
２０ｃ  透光パネルの後面
７０、１７０、２７０  プロジェクタ
７１    光源部
７２    映写部
７３    遮光部
７４    レーザ光源部
７５    光軸変更部
７６    レーザプロジェクタ
【図１】
2010139188.tif 000003
【図２】
2010139188.tif 000004
【図３】
2010139188.tif 000005
【図４】
2010139188.tif 000006
【図５】
2010139188.tif 000007
【図６】
2010139188.tif 000008
【図７】
2010139188.tif 000009
【図８】
2010139188.tif 000010
【図９】
2010139188.tif 000011